(57)【要約】【課題】絵馬に表示された奉納者の願い事、氏名等が他人に見られないようにした新規な絵馬を提供する。【解決手段】奉納者の願い事、氏名等を表示する願い事等表示部（１）を片面に備えた板状体（３）と、該板状体の当該片面側に開閉自在に備えさせた扉（５）とよりなり、該扉の外面には馬等の絵を表示する絵表示部（７）を備えさせ、該扉を閉じたときには該板状体の願い事等表示部が該扉により隠されるようにしたことを特徴とする絵馬。奉納者の願い事、氏名等を表示する願い事等表示部（２２）を片面（２１ａ）に備えた板状体（２１）と、該板状体の該片面を覆い且つ該板状体に対し着脱自在の被覆体（２３）とよりなり、該被覆体における板状体の該片面に臨む面と反対側の面（２３ａ）には馬等の絵を表示する絵表示部（３２）を備えさせたことを特徴とする絵馬。【選択図】図１
0003096922.tif 000002
【実用新案登録請求の範囲】
【請求項１】
奉納者の願い事、氏名等を表示する願い事等表示部を片面に備えた板状体と、該板状体の当該片面側に開閉自在に備えさせた扉とよりなり、該扉の外面には馬等の絵を表示する絵表示部を備えさせ、該扉を閉じたときには該板状体の願い事等表示部が該扉により隠されるようにしたことを特徴とする絵馬。
【請求項２】
奉納者の願い事、氏名等を表示する願い事等表示部を片面に備えた板状体と、該板状体の該片面を覆い且つ該板状体に対し着脱自在の被覆体とよりなり、該被覆体における板状体の該片面に臨む面と反対側の面には馬等の絵を表示する絵表示部を備えさせたことを特徴とする絵馬。
【考案の詳細な説明】
【０００１】
【考案の属する技術分野】
本考案は、祈願等のために社寺に奉納される絵馬に関するものである。
【０００２】
【従来の技術】
絵馬としては、木製の板状体における一方の面に馬等の絵が表示され、該板状体における他方の面に奉納者の願い事、氏名等を表示するようにしたものが一般に使用されている。
【０００３】
【考案が解決しようとする課題】
しかるに、上記従来の絵馬においては、絵馬に表示された奉納者の願い事、氏名等が常時該絵馬の表面に露出しているため、奉納者の願い事、氏名等を他人に見られてしまうという問題がある。このような状態は奉納者にとって不快であり、奉納者のプライバシーが保護されないことになる。
【０００４】
本考案は、上記従来の絵馬における上述の如き問題を解決し、絵馬に表示された奉納者の願い事、氏名等が他人に見られないようにした新規な絵馬を提供するものである。
【０００５】
【課題を解決するための手段】
上記課題を解決するために、本考案は下記の絵馬を提供する。
【０００６】
（１）奉納者の願い事、氏名等を表示する願い事等表示部を片面に備えた板状体と、該板状体の当該片面側に開閉自在に備えさせた扉とよりなり、該扉の外面には馬等の絵を表示する絵表示部を備えさせ、該扉を閉じたときには該板状体の願い事等表示部が該扉により隠されるようにしたことを特徴とする絵馬（請求項１）。
【０００７】
（２）奉納者の願い事、氏名等を表示する願い事等表示部を片面に備えた板状体と、該板状体の該片面を覆い且つ該板状体に対し着脱自在の被覆体とよりなり、該被覆体における板状体の該片面に臨む面と反対側の面には馬等の絵を表示する絵表示部を備えさせたことを特徴とする絵馬（請求項２）。
【０００８】
【作用】
［請求項１の考案］
奉納者は扉を開いた状態で板状体の願い事等表示部に自己の願い事、氏名等を記入した後、扉を閉じる。しかるときは、該板状体の願い事等表示部は該扉により隠されるため、奉納者の願い事、氏名等が他人に見られることはない。扉を閉じたときには、扉の外面に備えさせた馬等の絵を表示する絵表示部が見える。
【０００９】
［請求項２の考案］
奉納者は被覆体を板状体から取り外した状態で該板状体の片面における願い事等表示部に自己の願い事、氏名等を記入した後、板状体を表裏反転させ、該板状体における該片面が被覆体により隠されるように該板状体に該被覆体を取り付ける。しかるときは、板状体の片面に記入された奉納者の願い事、氏名等は該被覆体により隠されるため、奉納者の願い事、氏名等が他人に見られることはない。また、被覆体における板状体の該片面に臨む面と反対側の面に備えさせた絵表示部は常時露出している。
【００１０】
【考案の実施の形態】
次に、本考案の実施の形態を添付図面に従って説明する。
【００１１】
まず、図１〜図３に示す事例について説明する。この事例における絵馬は、奉納者の願い事、氏名等を表示する願い事等表示部１を片面に備えた板状体３と、該板状体３の当該片面側に開閉自在に備えさせた扉５とよりなる。板状体３と扉５は好ましくはそれぞれ木製とする。
【００１２】
扉５の外面には馬等の絵を表示する絵表示部７を備えさせ、該扉５を閉じたときには板状体３の願い事等表示部１が該扉５により隠されるようになす。
【００１３】
図示の事例においては、板状体３に左右一対の扉５、５を観音開き状に取り付けているが、板状体３に単一の扉５を片開き状に取り付けても差し支えない。また、板状体３の片面側に開閉自在に備えさせた扉５には、該板状体３の上下両縁３ａ、３ｂに形成した溝（図示せず。）に摺嵌したスライド式の扉５も含まれるものとする。
【００１４】
扉５は、一例として図２に示すように、支軸９を介して板状体３に回動自在に取り付けられる。
【００１５】
板状体３は上縁中央部に吊下げ紐１１を備えている。符号１３に示すものは左右一対の扉５、５を閉じた状態に保持するための結び紐である。
【００１６】
次に、図４〜図６に示す事例について説明する。この事例における絵馬は、板状体２１と被覆体２３とよりなる。板状体２１と被覆体２３は好ましくはそれぞれ木製とする。
【００１７】
板状体２１は、奉納者の願い事、氏名等を表示する願い事等表示部２２を片面２１ａに備えている。
【００１８】
被覆体２３は、板状体２１の片面２１ａを覆い且つ該板状体２１に対し着脱自在とする。
【００１９】
即ち、一例として図６に示すように、被覆体２３は板状体２１の片面２１ａを覆う平板部２７の左右両縁にそれぞれ断面略Ｌ字状部２９、２９を相対向させた状態で取り付け、該平板部２７と各断面略Ｌ字状部２９、２９とにより左右一対の受け溝３１、３１を形成し、該受け溝３１、３１に板状体２１を摺嵌する。
【００２０】
被覆体２３における板状体２１の該片面２１ａに臨む面と反対側の面２３ａには馬等の絵を表示する絵表示部３２を備えさせる。
【００２１】
符号３３に示すものは板状体２１と被覆体２３とを連結すると共に絵馬を吊下げるための吊下げ紐である。
【００２２】
【考案の効果】
以上説明したように、本考案によれば、絵馬に表示された奉納者の願い事、氏名等は絵馬の表面に露出していないため、奉納者の願い事、氏名等を他人に見られることはなく、奉納者のプライバシーは保護される。従って、奉納者は自己の願い事、氏名等を表示した絵馬を安心して奉納することができる。
【図面の簡単な説明】
【図１】本考案による絵馬の一例を示す斜視図である。
【図２】図１のＩＩ−ＩＩ線における断面図である。
【図３】同上絵馬において扉を閉じた状態を示す斜視図である。
【図４】本考案による絵馬の別の一例を示す斜視図である。
【図５】同上絵馬において板状体を被覆体により覆わせた状態を略正面側から見た斜視図である。
【図６】図５のＶＩ−ＶＩ線における断面図である。
【符号の説明】
１　願い事等表示部
３　板状体
５　扉
７　絵表示部
９　支軸
１１　吊下げ紐
１３　結び紐
２１　板状体
２１ａ　片面
２２　願い事等表示部
２３　被覆体
２３ａ　面
２７　平板部
２９　断面略Ｌ字状部
３１　溝
３２　絵表示部
３３　吊下げ紐
【図１】
0003096922.tif 000003
【図２】
0003096922.tif 000004
【図３】
0003096922.tif 000005
【図４】
0003096922.tif 000006
【図５】
0003096922.tif 000007
【図６】
0003096922.tif 000008